(57)【要約】【課題】簡単な作業で壁掛け型と卓上型とを切り替えることが可能な表示装置を提供する。【解決手段】支柱３Ａを、水平面Ｈに対して傾斜した平面で上部支柱３０と下部支柱４０とに切断し、上部支柱３０に対する下部支柱４０の取付角度を可変とする。ねじ５１を緩めることにより下部支柱４０と上部支柱３０との連結を緩め、下部支柱４０を切断面５０において上部支柱３０の中心線ＣＬの回りに回転させて上部支柱４０に対する取付角度を変更したのち、下部支柱４０をねじ５１で上部支柱３０に固定する。切断面５０の水平面Ｈに対する傾斜角度αは、α＝４５°−（θ／２）（θはチルト機構１０による表示部２の最大傾斜角度）を満たす。初期状態で表示部２が水平面Ｈに対して最大傾斜角度に傾けられている場合に、卓上型から壁掛け型に変更したとき、表示部２が壁面に対して平行（傾斜角度０°）となる。【選択図】図８
2012068515.tif 000002
【特許請求の範囲】
【請求項１】
表示部と、支柱および基礎を有し前記表示部を支持する支持部とを備え、
前記支柱は、
水平面に対して垂直な方向に伸びる筒状の上部支柱と、
前記水平面に対して傾斜した平面で前記上部支柱とは切断されており、前記切断面において前記上部支柱の中心線の回りに回転することにより前記上部支柱に対する取付角度が可変な筒状の下部支柱と、
前記上部支柱の前記切断面とは反対側に設けられ、前記表示部の俯仰方向における傾斜角度を変更するチルト機構と
を有し、
前記切断面の前記水平面に対する傾斜角度αは、α＝４５°−（θ／２）（θは前記チルト機構による前記表示部の最大傾斜角度）を満たす
表示装置。
【請求項２】
前記下部支柱は、前記上部支柱と前記下部支柱とが一直線をなす第１位置と、前記上部支柱と前記下部支柱とが前記切断面で屈曲する第２位置との間で、前記上部支柱の中心線の回りに回転する
請求項１記載の表示装置。
【請求項３】
前記上部支柱と前記チルト機構との間に、前記表示部の左右方向における回転角度を変更するスイーベル機構を有する
請求項２記載の表示装置。
【請求項４】
前記支持部は、前記表示部を前記水平面に載置するためのスタンドと、前記表示部を前記水平面に対して垂直な鉛直面に取り付けるための壁掛けブラケットとを兼ねている
請求項３記載の表示装置。
【請求項５】
前記表示部および前記支持部を連結する結合部材を備え、
前記結合部材は、前記表示部に固定される固定部と、前記支柱の上端部が収容され固定される孔とを有する
請求項４記載の表示装置。
【発明の詳細な説明】
【技術分野】
【０００１】
本発明はテレビジョン装置などの表示装置に関する。
【背景技術】
【０００２】
従来より、同じ構成部材で壁に掛けられ、かつ卓上に立てられる液晶表示器が提案されている（例えば、特許文献１参照。）。
【先行技術文献】
【特許文献】
【０００３】
【特許文献１】実用新案登録第３０６８１９８号公報
【発明の概要】
【発明が解決しようとする課題】
【０００４】
しかしながら、このような従来の液晶表示器では、壁掛け型から卓上型へ、またはその逆に変更する際に、ベースを分解して組み立て変える必要があり、作業が煩雑であるという問題があった。
【０００５】
本発明はかかる問題点に鑑みてなされたもので、その目的は、簡素な作業で壁掛け型と卓上型とを切り替えることが可能な表示装置を提供することにある。
【課題を解決するための手段】
【０００６】
本発明による表示装置は、表示部と、支柱および基礎を有し前記表示部を支持する支持部とを備え、支柱は、水平面に対して垂直な方向に伸びる筒状の上部支柱と、水平面に対して傾斜した平面で上部支柱とは切断されており、切断面において上部支柱の中心線の回りに回転することにより上部支柱に対する取付角度が可変な筒状の下部支柱と、上部支柱の切断面とは反対側に設けられ、表示部の俯仰方向における傾斜角度を変更するチルト機構とを有し、切断面の水平面に対する傾斜角度αは、α＝４５°−（θ／２）（θはチルト機構による表示部の最大傾斜角度）を満たすものである。
【０００７】
本発明の表示装置では、下部支柱を切断面において上部支柱の中心線の回りに回転させて上部支柱に対する取付角度を変更することにより、壁掛け型と卓上型とが切り替え可能となる。また、切断面の水平面に対する傾斜角度αは、α＝４５°−（θ／２）（θはチルト機構による表示部の最大傾斜角度）を満たすので、卓上型でチルト機構により表示部に傾斜角度θとされている場合、壁掛け型では表示部の傾斜角度は０°となる。よって、卓上型と壁掛け型とを切り替える際に、その都度チルト機構により表示部の傾斜角度を調整する必要がなくなる。
【発明の効果】
【０００８】
本発明の表示装置によれば、支柱を、水平面に対して傾斜した平面で上部支柱と下部支柱とに切断し、上部支柱に対する下部支柱の取付角度を可変とすると共に、切断面の水平面に対する傾斜角度αが、α＝４５°−（θ／２）（θはチルト機構による表示部の最大傾斜角度）を満たすようにしたので、簡素な作業で壁掛け型と卓上型とを切り替えることが可能となる。
【図面の簡単な説明】
【０００９】
【図１】本発明の一実施の形態に係る表示装置の背面側から見た外観を表す斜視図である。
【図２】図１に示した表示装置の支持部を拡大して表す斜視図である。
【図３】図２に示した支柱の構成を表す断面図である。
【図４】図３のＩＶ−ＩＶ線における断面図である。
【図５】図２に示したチルト機構による表示部の傾斜の一例を表す側面図である。
【図６】表示部の傾斜の他の例を表す側面図である。
【図７】図２に示した下部支柱の上部支柱に対する取付角度を変更した斜視図である。
【図８】図７に示した支柱の断面図である。
【図９】壁掛け型の場合の表示部の傾斜の一例を表す側面図である。
【図１０】表示部の傾斜の他の例を表す側面図である。
【図１１】図２に示した結合部材の構成を表す斜視図である。
【図１２】図１１のＸＩＩ−ＸＩＩ線における断面図である。
【発明を実施するための形態】
【００１０】
以下、本発明の実施の形態について図面を参照して詳細に説明する。
【００１１】
図１は、本発明の一実施の形態に係る表示装置（テレビジョン装置）を背面側から見た外観を表したものである。この表示装置１は、例えば、画像表示のための表示部２を、支持部３により支持した構成を有している。表示部２は、液晶，プラズマ，有機ＥＬ，無機ＥＬ，エレクトロデポジションもしくエレクトロクロミックなどの表示素子を用いた平板状の表示パネルである。支持部３は、結合部材４により表示部２の背面に取り付けられている。
【００１２】
図２は、支持部３および結合部材４を拡大して表したものである。支持部３は、円筒状の支柱（ネック）３Ａを有している。支柱３Ａの一端（下端）は、平板状の基礎（ベース）３Ｂに固定されている。支持部３の他端（上端）には結合部材４が取り付けられている。
【００１３】
図３および図４は、支柱３Ａをその中心線ＣＬ３Ａを含む平面で切断した断面構成を表したものである。支柱３Ａは、例えば、上から順に、チルト機構１０、スイーベル機構２０、上部支柱３０および下部支柱４０を有している。上部支柱３０と下部支柱４０とは、切断面５０で分断され、ねじ５１により結合されている。
【００１４】
チルト機構１０は、上部支柱３０の切断面５０とは反対側に設けられ、表示部２の俯仰方向における傾斜角度を変更するものである。すなわち、この表示装置１では、チルト機構１０により、図５に示したように表示部２を水平面Ｈに対して後方に最大傾斜角度θ傾けた初期状態Ｓ１から、矢印Ａｔに示したように表示部２を前方に傾けて、図６に示したように表示部２が水平面Ｈに対して垂直（傾斜角度０°）な前傾状態Ｓ２にすることが可能となっている。チルト機構１０による表示部２の最大傾斜角度θ（図５参照。）は、例えば６°程度であることが望ましい。なお、表示部２の傾斜角度は、最大傾斜角度θと０°との間で、２段階で切り替えるようにしてもよいし、無段階で調整可能であってもよい。
【００１５】
チルト機構１０は、例えば図４に示したように、上から順に、チルトプレート１１と、二枚のＬ字形断面のチルトブラケット１２および二枚のＬ字形断面のチルトベース１３とを有している。チルトブラケット１２の横方向の面はチルトプレート１１に固定されている。チルトブラケット１２の縦方向の面の間に、チルトベース１３の縦方向の面が挟まれている。チルトブラケット１２の縦方向の面およびチルトベース１３の縦方向の面には、チルトワッシャ１４およびウェーブワッシャ１５を間にして、チルトシャフト１６が貫通している。チルトベース１３の横方向の面はスイーベル機構２０の後述する上部スイーベルプレート２１に連結されている。そのため、チルト機構１０は、スイーベル機構２０により表示部２と共に左右方向に回転可能となっている。
【００１６】
スイーベル機構２０は、上部支柱３０とチルト機構１０との間に設けられ、図１の矢印Ａｓに示したように、表示部２の左右方向における回転角度を変更するものである。スイーベル機構２０は、例えば、環状の上部スイーベルプレート２１と、逆Ｔ字形断面の下部スイーベルプレート２２とを、ワッシャ２３を介してねじ２４で固定した構成を有している。上部スイーベルプレート２１は回転側の部品であり、下部スイーベルプレート２２，ワッシャ２３およびねじ２４は固定側の部品である。上部スイーベルプレート２１の回転量（表示部２のスイーベル回転角度）は、図４に示したように、下部スイーベルプレート２２の上面に設けられたダボ２２Ａと、上部スイーベルプレート２１の下面に設けられた円弧状の溝２１Ａとにより規定されている。下部スイーベルプレート２２は、ねじ（図示せず）により上部支柱３０に固定されている。また、下部スイーベルプレート２２の下面には、上部支柱３０の溝３１との位置決めのためのダボ２２Ｂが設けられている。
【００１７】
上部支柱３０は、水平面Ｈに対して垂直な方向に伸びる円筒状の部材であり、例えばアルミニウムダイキャストにより構成されている。上部支柱３０には、ねじ５１を通すためのねじ穴３２が設けられている。
【００１８】
下部支柱４０は、上部支柱３０と同様に、例えばアルミニウムダイキャストにより構成された円筒状の部材である。また、下部支柱４０は、水平面Ｈに対して傾斜した平面である切断面５０で上部支柱３０とは切断されており、図７および図８に示したように、切断面５０において上部支柱３０の中心線ＣＬの回りに回転することにより上部支柱３０に対する取付角度が可変となっている。上部支柱３０の中心線ＣＬは、支柱３Ａの中心線ＣＬ３Ａと切断面５０との交点を通り切断面５０に垂直な直線である。なお、図８の切断面は、支柱３Ａの直径を通る平面ではなく、支柱３Ａの長手方向端面から見たときに中心角が１８０°よりも小さい扇形となっている。
【００１９】
具体的には、下部支柱４０は、図３および図４に示したように上部支柱３０と下部支柱４０とが一直線をなす第１位置Ｐ１と、図７および図８に示したように上部支柱３０と下部支柱４０とが切断面５０で屈曲する第２位置Ｐ２との間で、上部支柱３０の中心線ＣＬの回りに回転するようになっている。
【００２０】
下部支柱４０が第１位置Ｐ１にある場合には、表示装置１は、図５および図６に示したように、基礎３Ｂを水平面Ｈに載置し、卓上型として設置可能である。一方、下部支柱４０が第２位置Ｐ２にある場合には、表示装置１は、図９および図１０に示したように、プーリ（図示せず）等の係止機構を用いて基礎３Ｂを鉛直面Ｖに取り付け、壁掛け型として利用可能である。これにより、支持部３は、表示部２を水平面Ｈに載置するためのスタンドと、表示部２を水平面Ｈに対して垂直な鉛直面Ｖに取り付けるための壁掛けブラケットとを兼ねる、いわゆる可変スタンドとして使用することが可能となっている。
【００２１】
更に、図３および図８に示したように、切断面５０の水平面Ｈに対する傾斜角度αは、α＝４５°−（θ／２）（θはチルト機構１０による表示部２の最大傾斜角度）を満たしている。例えば、表示部２の最大傾斜角度θが上述した６°である場合、切断面５０の傾斜角度αは４２°となる。これにより、この表示装置１では、簡素な作業で壁掛け型と卓上型とを切り替えることが可能となっている。
【００２２】
すなわち、建築物の壁面は通常、床面（水平面Ｈ）とは垂直な鉛直面Ｖとなっているので、表示部２の水平面Ｈに対する傾斜角度が０°である場合には、切断面５０の傾斜角度αを４５°とすれば、壁掛け型とした場合に表示部２を壁面Ｖに対して平行とすることができる。しかしながら、図５に示したように初期状態Ｓ１として表示部２が水平面Ｈに対して後方に最大傾斜角度θ傾けられている場合には、切断面５０の傾斜角度αを４５°とすると、壁掛け型とした場合にも表示部２が後方に最大傾斜角度θ傾いた状態となる。そのため、表示部２が天井に向けて仰向いた状態となってしまうので、画面を視認しやすくするために、チルト機構１０を用いて表示部２を鉛直面Ｖと平行または下向きに傾けるという追加の作業が必要となる。
【００２３】
これに対して、上述したように切断面５０の水平面Ｈに対する傾斜角度αを、α＝４５°−（θ／２）とすることにより、図５に示したように初期状態Ｓ１で表示部が水平面Ｈに対して後方に最大傾斜角度θ傾けられている場合に、卓上型から壁掛け型に変更すると、図９に示したように、表示部２の傾きが補正され、表示部２を鉛直面（壁面）Ｖに対して平行（傾斜角度０°）とすることが可能となる。壁掛け型から卓上型に戻す場合も同様である。よって、卓上型と壁掛け型とを切り替える際に、その都度チルト機構１０を用いて表示部２の傾斜角度を調整する必要がなくなり、作業の簡素化により利便性が向上する。
【００２４】
更に、表示部２の取付位置に応じて、図１０に示したように表示部２を前方に最大傾斜角度−θ傾けて前傾状態Ｓ２とすることにより、画面をより視認しやすくすることも可能である。
【００２５】
下部支柱４０には、図３に示したように、上部支柱３０のねじ穴３２と整合する位置に、ねじ５１を通すための凹部４１および貫通孔４２が設けられている。貫通孔４２は、ねじ５１の進入口近傍に、ねじ部４２Ａを有し、ねじ部４２Ａ以外の部分はフリーホール４２Ｂとされている。これにより、下部支柱４０の取付方向を変えるためにねじ５１を緩めた場合に、ねじ５１がねじ部４２Ａに係合した状態で貫通孔４２内に保持される。よって、下部支柱４０の取付方向を変えたのち直ちにねじ５１をねじ穴３２に留め直すことが可能となり、作業が更に簡素化される。また、ねじ５１が貫通孔４２から外れ落ちてしまうことがなくなり、ねじ５１の脱落や紛失なども防止される。
【００２６】
なお、下部支柱４０の下端には、ボトムプレート４３が、ねじ４３Ａにより取り付けられている。また、下部支柱４０の下端には、基礎３Ｂとの仮固定用のダボ４４が、倒れ防止のために設けられている。
【００２７】
図３，図４および図８に示した支柱３Ａの外面には、金属または樹脂よりなるチルトカバー６１，中央部カバー６２および下部カバー６３が設けられている。チルトカバー６１は、チルト機構１０を収容している。中央部カバー６２は、スイーベル機構２０および上部支柱３０を収容している。下部カバー６３は、下部支柱４０を被覆している。チルトカバー６１には、表示部２を傾けた場合に中央部カバー６２との干渉を防ぐための逃げ溝６１Ａが設けられている。
【００２８】
図２に示した結合部材４は、表示部２および支持部３を連結するものである。結合部材４は、例えば図１１および図１２に示したように、表示部２に固定される固定部４Ａと、支柱３Ａの上端部が収容され固定される孔４Ｂとを有している。固定部４Ａには、例えば３か所にねじ孔４Ａ１が設けられている。孔４Ｂには、支柱３Ａの上端面が、ねじ４Ｂ１等により固定される。孔４Ｂの両側には、必要に応じて、ケーブル７０を保持するためのケーブル保持部４Ｃが設けられていてもよい。
【００２９】
この表示装置１では、ねじ５１を緩めることにより下部支柱４０と上部支柱３０との連結を緩め、下部支柱４０を切断面５０において上部支柱３０の中心線ＣＬの回りに回転させて上部支柱４０に対する取付角度を変更したのち、下部支柱４０をねじ５１で上部支柱３０に固定する。
【００３０】
具体的には、下部支柱４０を、図３および図４に示したように上部支柱３０と下部支柱４０とが一直線をなす第１位置Ｐ１にした場合には、表示装置１を、図５および図６に示したように、基礎３Ｂを水平面Ｈに載置し、卓上型として設置することが可能である。一方、下部支柱４０を、図７および図８に示したように上部支柱３０と下部支柱４０とが切断面５０で屈曲する第２位置Ｐ２にした場合には、表示装置１を、図９および図１０に示したように、プーリ（図示せず）等の係止機構を用いて基礎３Ｂを鉛直面Ｖに取り付け、壁掛け型として利用することが可能である。このように、同一の支持部３を、表示部２を水平面Ｈに載置するためのスタンドと、表示部２を水平面Ｈに対して垂直な鉛直面Ｖに取り付けるための壁掛けブラケットとを兼ねる、いわゆる可変スタンドとして使用することが可能である。
【００３１】
また、切断面５０の水平面Ｈに対する傾斜角度αは、α＝４５°−（θ／２）（θはチルト機構１０による表示部２の最大傾斜角度）を満たすので、図５に示したように初期状態Ｓ１で表示部２が水平面Ｈに対して後方に最大傾斜角度θ傾けられている場合に、卓上型から壁掛け型に変更すると、図９に示したように、表示部２の傾きが補正され、表示部２が壁面Ｖに対して平行（傾斜角度０°）となる。逆に、図９に示したように、表示部２が壁面Ｖに対して平行（傾斜角度０°）となっている場合に、壁掛け型から卓上型に変更すると、図５に示したように表示部２が水平面Ｈに対して後方に最大傾斜角度θ傾いた初期状態Ｓ１となる。このように卓上型と壁掛け型とを切り替える際に、その都度チルト機構１０を用いて表示部２の傾斜角度を調整する必要がなくなり、作業が簡素化され、利便性が向上する。
【００３２】
このように本実施の形態では、支柱３Ａを、水平面Ｈに対して傾斜した平面で上部支柱３０と下部支柱４０とに切断し、上部支柱３０に対する下部支柱４０の取付角度を可変とすると共に、切断面５０の水平面に対する傾斜角度αが、α＝４５°−（θ／２）（θはチルト機構１０による表示部２の最大傾斜角度）を満たすようにしたので、簡素な作業で壁掛け型と卓上型とを切り替え可能となり、利便性の高い可変スタンドが実現される。
【００３３】
以上、実施の形態を挙げて本発明を説明したが、本発明は上記実施の形態に限定されるものではなく、種々の変形が可能である。例えば、上記実施の形態では、説明を簡単にするために、表示部２の最大傾斜角度θを６°とした場合を例として説明したが、どのような傾斜角度θのチルト動作についても同じ仕組みで実現することが可能である。
【００３４】
また、上記実施の形態では、表示装置１として薄型テレビジョン装置を例として説明したが、本発明は、テレビジョン装置に限らず、パーソナルコンピュータ等のモニター，カーナビゲーション装置などの表示装置、デジタルフォトフレームなど、他の電子機器にも適用可能である。また、絵画、看板など、平板状の支持対象物と、基礎および支柱を有する支持部とを有する構造物にも広く適用可能である。
【符号の説明】
【００３５】
１…表示装置、２…表示部、３…支持部、３Ａ…支柱、３Ｂ…基礎、４…結合部材、１０…チルト機構、２０…スイーベル機構、３０…上部支柱、４０…下部支柱、５０…切断面。
【図１】
2012068515.tif 000003
【図２】
2012068515.tif 000004
【図３】
2012068515.tif 000005
【図４】
2012068515.tif 000006
【図５】
2012068515.tif 000007
【図６】
2012068515.tif 000008
【図７】
2012068515.tif 000009
【図８】
2012068515.tif 000010
【図９】
2012068515.tif 000011
【図１０】
2012068515.tif 000012
【図１１】
2012068515.tif 000013
【図１２】
2012068515.tif 000014